(57)【特許請求の範囲】
【請求項１】
前部に乾燥用加熱気体供給源を内設した起立ダクト部を備え、その後部に下面開口の扁平尾長状ダクトであって、その前方部から後方部にかけてダクト高が漸次低下してなる扁平尾長状ダクトを連接して備えてなり、かつ同扁平尾長状ダクトの後端には水平方向への開口部を有してなり、そして前記扁平尾長状ダクトの下面開口は被乾燥平面上に対向して配置されるものであることを特徴とする被乾燥平面の走行式乾燥装置。
【請求項２】
下面開口の扁平尾長状ダクトの途中に、乾燥用加熱気体供給源に連結される分岐循環通路を設けてなることを特徴とする請求項１に記載の被乾燥平面の走行式乾燥装置。
【請求項３】
起立ダクトと、その後部の下面開口の扁平尾長状ダクトとの連接部の上部内壁が、曲面壁であることを特徴とする請求項１又は２のいずれかに記載の被乾燥平面の走行式乾燥装置。
【請求項４】
起立ダクトと、その後部の下面開口の扁平尾長状ダクトとの連接部の上部曲面内壁に乱流生成促進機構を設けてなることを特徴とする請求項３記載の被乾燥平面の走行式乾燥装置。
【請求項５】
乱流生成促進機構が、トリッピングワイヤを配設した構造であることを特徴とする請求項４記載の被乾燥平面の走行式乾燥装置。
【請求項６】
下面開口の扁平尾長状ダクトの天井壁内側に乱流生成促進機構を付設してなることを特徴とする請求項１ないし５のいずれか１項に記載の被乾燥平面の走行式乾燥装置。
【請求項７】
乾燥用加熱気体供給源が、電熱ヒータと送風機からなるものであることを特徴とする請求項１ないし６のいずれか１項に記載の被乾燥平面の走行式乾燥装置。
【請求項８】
被乾燥平面の走行式乾燥装置が、被乾燥平面上を走行するための走行駆動輪を備えてなることを特徴とする請求項１ないし７のいずれか１項に記載の被乾燥平面の走行式乾燥装置。
【請求項９】
被乾燥平面の走行式乾燥装置が、被乾燥平面上を走行するための走行駆動輪とモータを備えてなることを特徴とする請求項８に記載の被乾燥平面の走行式乾燥装置。
【請求項１０】
被乾燥平面が、湿潤床平面であることを特徴とする請求項１ないし９のいずれか１項に記載の被乾燥平面の走行式乾燥装置。
【請求項１１】
被乾燥平面が、敷設された有機溶媒を含むシート類であることを特徴とする請求項１ないし９のいずれか１項に記載の被乾燥平面の走行式乾燥装置。
【請求項１２】
被乾燥平面が、多数の被乾燥粒状体が敷設された平面であることを特徴とする請求項１ないし９のいずれか１項に記載の被乾燥平面の走行式乾燥装置。
【請求項１３】
被乾燥平面が、多数の植物が敷設された平面であることを特徴とする請求項１ないし９のいずれか１項に記載の被乾燥平面の走行式乾燥装置。
【請求項１４】
被乾燥平面が、多数の水産物が敷設された平面であることを特徴とする請求項１ないし９のいずれか１項に記載の被乾燥平面の走行式乾燥装置。
【請求項１５】
被乾燥平面が、アスフアルト舗装道路平面であることを特徴とする請求項１ないし９のいずれか１項に記載の被乾燥平面の走行式乾燥装置。
【発明の詳細な説明】
【０００１】
【発明の属する技術分野】
本発明は、被乾燥平面の乾燥装置に関し、特に極めて高いエネルギー利用効率の被乾燥平面の走行式乾燥装置に関する。
【０００２】
【従来の技術及び発明が解決しようとする課題】
従来、水で濡れている床面や敷設された有機溶媒を含むシート類等の被乾燥平面を乾燥するには、乾燥気体を被乾燥平面に強制的に吹き付けたり、被乾燥平面をヒータあるいは加熱気体で加熱させたりすることが行われていた。
しかしながら、公知のそうした従来技術ではエネルギー利用効率の極めて高い乾燥手段の提供がなされていなかった。
【０００３】
【課題を解決するための手段】
本発明者は以上の課題を解決すべく鋭意研究の結果、下記構成の発明をなすに至った。
（１）前部に乾燥用加熱気体供給源を内設した起立ダクト部を備え、その後部に下面開口の扁平尾長状ダクトであって、その前方部から後方部にかけてダクト高が漸次低下してなる扁平尾長状ダクトを連接して備えてなり、かつ同扁平尾長状ダクトの後端には水平方向への開口部を有してなり、そして前記扁平尾長状ダクトの下面開口は被乾燥平面上に対向して配置されるものであることを特徴とする被乾燥平面の走行式乾燥装置。
【０００４】
（２）下面開口の扁平尾長状ダクトの途中に、乾燥用加熱気体供給源に連結される分岐循環通路を設けてなることを特徴とする（１）項に記載の被乾燥平面の走行式乾燥装置。
（３）起立ダクトと、その後部の下面開口の扁平尾長状ダクトとの連接部の上部内壁が、曲面壁であることを特徴とする（１）項又は（２）項のいずれかに記載の被乾燥平面の走行式乾燥装置。
（４）起立ダクトと、その後部の下面開口の扁平尾長状ダクトとの連接部の上部曲面内壁に乱流生成促進機構を設けてなることを特徴とする（３）項記載の被乾燥平面の走行式乾燥装置。
（５）乱流生成促進機構が、トリッピングワイヤを配設した構造であることを特徴とする（４）項記載の被乾燥平面の走行式乾燥装置。
（６）下面開口の扁平尾長状ダクトの天井壁内側に乱流生成促進機構を付設してなることを特徴とする（１）項ないし（５）項のいずれか１項に記載の被乾燥平面の走行式乾燥装置。
（７）乾燥用加熱気体供給源が、電熱ヒータと送風機からなるものであることを特徴とする（１）項ないし（６）項のいずれか１項に記載の被乾燥平面の走行式乾燥装置。
【０００５】
（８）被乾燥平面の走行式乾燥装置が、被乾燥平面上を走行するための走行駆動輪を備えてなることを特徴とする（１）項ないし（７）項のいずれか１項に記載の被乾燥平面の走行式乾燥装置。
（９）被乾燥平面の走行式乾燥装置が、被乾燥平面上を走行するための走行駆動輪とモータを備えてなることを特徴とする（８）項に記載の被乾燥平面の走行式乾燥装置。
（１０）被乾燥平面が、湿潤床平面であることを特徴とする（１）項ないし（９）項のいずれか１項に記載の被乾燥平面の走行式乾燥装置。
（１１）被乾燥平面が、敷設された有機溶媒を含むシート類であることを特徴とする（１）項ないし（９）項のいずれか１項に記載の被乾燥平面の走行式乾燥装置。
（１２）被乾燥平面が、多数の被乾燥粒状体が敷設された平面であることを特徴とする（１）項ないし（９）項のいずれか１項に記載の被乾燥平面の走行式乾燥装置。
（１３）被乾燥平面が、多数の植物が敷設された平面であることを特徴とする（１）項ないし（９）項のいずれか１項に記載の被乾燥平面の走行式乾燥装置。
（１４）被乾燥平面が、多数の水産物が敷設された平面であることを特徴とする（１）項ないし（９）項のいずれか１項に記載の被乾燥平面の走行式乾燥装置。
（１５）被乾燥平面が、アスフアルト舗装道路平面であることを特徴とする（１）項ないし（９）項のいずれか１項に記載の被乾燥平面の走行式乾燥装置
【０００６】
【発明の実施の形態】
上記本発明の実施の形態を図面に基づいて以下に説明する。
図１は、本発明の被乾燥平面の走行式乾燥装置を搭載した実働装置の要部正面図である。
図２は本発明に係る被乾燥平面の乾燥装置の縦断面図であり、図３は図２の乾燥装置の底面図である。
図４は本発明に係る他例の被乾燥平面の乾燥装置の縦断面図であり、図５は図４の乾燥装置の底面図である。
図中、１は被乾燥平面の乾燥装置、２は送風機（シロッコファン）２ａと電熱ヒータロッド２ｂからなる乾燥用加熱気体供給源、３は扁平尾長状ダクト、３ａはトリッピングワイヤ、３ｂは乱流促進用細棒、４は起立ダクト部、５は開口下面、６は分岐循環通路、２０はダクト３の後端開口部、３０は曲面内壁（ベンド内壁）、４０は逆流防止材、１００はバッテリー、２００は制御装置、３００は走行駆動輪、３００ａはモータ、１１０はカバー、１２０はハンドルである。Ｄは乾燥用加熱気体主流、Ｆは被乾燥平面、Ｔは乱流境界層、Ｔ’は微弱で不安定な乱流である。
【０００７】
本発明の被乾燥平面の走行式乾燥装置１を搭載した実働装置は、図１に要部を示すごとく、内部にバッテリー１００と制御装置２００と走行式乾燥装置１とを装備し、下部に走行駆動輪３００を備えている。
したがって、本発明に係る被乾燥平面の走行式乾燥装置１はモータ３００ａにより駆動される走行駆動輪３００により、前方（左方）へ走行される。
走行に伴って、走行式乾燥装置１の開口下面５から加熱気体が噴出し、それが扁平尾長状ダクト３の長い開口下面５下で長時間にわたり被乾燥平面Ｆへ接触し、最後に走行式乾燥装置１の後端開口部２０から排出される。
なお、本装置は無線操縦のロボット式の乾燥機械として稼働される。
【０００８】
加熱気体としては、通常は加熱空気が挙げられるが、酸化を回避しなければならないものに対する乾燥においては、窒素ガス等の非酸化性気体が用いられることもある。
【０００９】
被乾燥平面としては、水で湿潤した床面、抗菌剤液を散布した床面、敷設された有機溶媒を含むシート類等が挙げられるが、下面に乾燥すべきもの（被乾燥物）が敷設された状態の対象物であればどのようなものでもよい。
例えば、下記のようなものが挙げられる。
（１）水、抗菌剤液等で湿潤した体育館床、室内床、廊下、土床、木製床、布シート、畳、筵、コンクリート床等。
（２）揮発性有機溶剤を含む床、シート類、例えば合成樹脂シート類の製造おける有機溶媒を含むシート半製品類。
（３）多数の被乾燥粒状体（例えば、米、麦、大豆等の穀物）が敷設された床、あるいはシート。
（４）多数の水産物（例えば、魚類、貝類、海草類等）が敷設された床あるいはシート。
（５）アスフアルト舗装作業中の道路平面。
【００１０】
本発明では、図２〜図３に詳細図を示すごとく、前部に乾燥用気体供給源又は乾燥用加熱気体供給源２を備え、その後部に開口下面５を有する扁平尾長状ダクト３を備えてなり、かつ同ダクトの後端には水平方向の開口部２０を有する。
したがって、図１に示す走行駆動輪３００による走行に伴って、扁平尾長状ダクト３の開口下面５から乾燥用（加熱）気体が噴出し、それが扁平尾長状ダクト３の長い開口下面５下で長時間にわたり被乾燥平面Ｆへ接触し、高効率で被乾燥平面７の乾燥が実行される。
【００１１】
本発明装置では、さらに乾燥効率を高めるため、下面開口の扁平尾長状ダクト３を前方部から後方部にかけてダクト高が漸次低下するように構成する。
これにより、流体工学理論上、ダクト１内を流動する乾燥用加熱気体がダクト後方で加速され、かつ被乾燥平面Ｆに全て接触し、乾燥効率を増大することとなる。
【００１２】
さらに、乾燥効率を高める手段として、前部の乾燥用加熱気体供給源を起立ダクト部４内に配設し、その後部に開口下面５を有する扁平尾長状ダクト３を備え、さらに起立ダクト４と、その後部の下面開口の扁平尾長状ダクト３との連接部の上部内壁を、曲面内壁（ベンド内壁）３０で構成して、乾燥用加熱気体の扁平尾長状ダクト３への送給をスムーズで効果的にする。
その際に、起立ダクト４と、その後部の下面開口の扁平尾長状ダクトとの連接部の上部曲面内壁３０に乱流生成促進機構、例えばトリッピングワイヤ３ａを配設することが好ましい。
これにより、図６に乾燥用加熱気体の動向原理説明図を示すごとく、起立ダクト４から導出した乾燥用加熱気体流Ｄの上層流が曲面内壁３０の途中に配設されたトリッピングワイヤ３ａに当たって撹乱され、発達した乱流境界層Ｔが生成され、その結果、乾燥用加熱気体流Ｄの大部分主流が扁平尾長状ダクト３の比較的前方部において、下方の被乾燥平面Ｆに衝突するように接触することとなる。
他方、トリッピングワイヤ３ａを配設しない場合は、図７に他の乾燥用加熱気体の動向原理説明図を示すごとく、乾燥用加熱気体流Ｄの主流は、ダクトの上部曲面内壁３０において微弱で不安定な乱流Ｔ’が生成するものの、大部分の主流が被乾燥平面Ｆに衝突するようなことはなく、ダクト３内を水平方向へ流動し、乱流境界層Ｔによって邪魔されることがなく、したがって、少なくともダクト３の前半部では乾燥用加熱気体の大部分が被乾燥平面Ｆへ効果的に接触することがない。
【００１３】
また、エネルギー効率を高めるため、図４に他例の被乾燥平面の走行式乾燥装置１’を示すごとく、下面開口の扁平尾長状ダクト３の途中に、加熱気体供給源２に連結される分岐循環通路６を設けてることも好ましい。
これにより、電熱ヒータロッド２ｂにより加熱された気体の一部がダクト３の途中から分岐循環通路６に入って加熱気体供給源２の送風機２ａへ循環還元される結果、電熱ヒータロッド２ｂへは一旦加熱された気体が再度、あるいは再々度供給され、気体温度が更に昇温される。よって、特に本装置１の始動時における使用開始可能時間の短縮が図られる。
【００１４】
さらに、エネルギー効率を高めるため、図１ないし図５に示すごとく、下面開口の扁平尾長状ダクト３の天井壁内側に前記トリッピングワイヤ３ａと同様な乱流生成促進機構、例えば乱流促進用細棒３ｂ・・を横に並べて配設することも好ましい。
これにより、ダクト３後半部において、乱流境界層Ｔの生成が促進される結果、全ての乾燥用加熱気体が被乾燥平面Ｆに接触することとなって、乾燥効率が飛躍的に高められる。
なお、乱流促進用細棒３ｂ・・は、その直径に応じて適当間隔を保って配設することが好ましく、その直径と間隔は効果的に乱流が生成する条件を計算して、決定される。
【００１５】
【発明の効果】以上に説明したごとく、本発明の被乾燥平面の乾燥装置によれば、非常にエネルギー利用効率が高められ、少ない風量で高温度乾燥が実施できる。そして、本発明装置は、被乾燥平面上を走行するようにしたものであるため、被乾燥物を移動することなしに、その場において、随時所要の乾燥をすることができる。
【図面の簡単な説明】
【図１】本発明の被乾燥平面の走行式乾燥装置を搭載した実働装置の要部正面図である。
【図２】本発明に係る被乾燥平面の乾燥装置の縦断面図である。
【図３】図２の乾燥装置の底面図である。
【図４】本発明に係る他例の被乾燥平面の乾燥装置の縦断面図である。
【図５】図４の乾燥装置の底面図である。
【図６】本発明装置における乾燥用加熱気体の動向原理説明図である。
【図７】本発明装置における他の乾燥用加熱気体の動向原理説明図である。
【符号の説明】
１：被乾燥平面の乾燥装置、
２：乾燥用加熱気体供給源、
２ａ：送風機、２ｂ：電熱ヒータロッド、
３：扁平尾長状ダクト、３ａ：トリッピングワイヤ、
３ｃ：乱流促進用細棒、４：起立ダクト部、
５：開口下面、６：分岐循環通路、
２０：ダクト３の後端開口部、３０：曲面内壁（ベンド内壁）、
４０：逆流防止材、１００：バッテリー、２００：制御装置、
３００：走行駆動輪、３００ａ：モータ、
１１０：カバー、１２０：ハンドル、
Ｄ：乾燥用加熱気体主流、Ｆ：被乾燥平面、
Ｔ：乱流境界層、
Ｔ’：微弱で不安定な乱流
【図１】
0003588911.tif 000002
【図２】
0003588911.tif 000003
【図３】
0003588911.tif 000004
【図４】
0003588911.tif 000005
【図５】
0003588911.tif 000006
【図６】
0003588911.tif 000007
【図７】
0003588911.tif 000008